(57)【要約】      （修正有）【課題】操作が簡単で、全体的な剛性が優れた折畳式テントのフレームを提供する。【解決手段】折畳式テントのフレームは、上連接ネスト１、ガイドポール２、多数のサポート棒３、多数の第一サポートポール４、中連接ネスト６、多数の第二サポートポール７、下連接ネスト９により構成され、多数の第一サポートポール４は、内端がすべて中連接ネスト６上に係合して接続し、外端がすべて多数のサポート棒３の内端部に係合して接続する。そして、第一サポートポール４、中連接ネスト６とサポート棒３との間での外向きのサポート作用により、展開後のテントは決して自然に閉じることはない。【選択図】図２
0003178570.tif 000002
【実用新案登録請求の範囲】
【請求項１】
上連接ネスト、ガイドポール、多数のサポート棒、多数の第一サポートポール、中連接ネスト、多数の第二サポートポール、下連接ネストにより構成される、折畳式テントのフレームであって、
前記多数のサポート棒は、内端がすべて、前記上連接ネスト上に係合して接続し、
前記ガイドポールの上端は、前記上連接ネストの下端面に固定し、前記ガイドポールの下部は下方へと延伸し、
前記多数の第一サポートポールは、内端がすべて、前記中連接ネスト上に係合して接続し、外端がすべて、前記多数のサポート棒の内端部に係合して接続し、前記中連接ネストの中部ガイド孔が、前記ガイドポール上に可動状に嵌めて接続し、しかも前記ガイドポールに沿って上、下に移動し、
前記多数の第二サポートポールは、内端がすべて、前記下連接ネスト上に係合して接続し、外端がすべて、前記多数のサポート棒の中部に係合して接続し、前記下連接ネストの中部ガイド孔が、前記ガイドポール上に可動状に嵌めて接続し、しかも前記ガイドポールに沿って上、下に移動することを特徴とする折畳式テントのフレーム。
【請求項２】
前記折畳式テントのフレームはさらに、内ヒンジコネクタを備え、
前記内ヒンジコネクタは、Ｌ型を呈し、内端が前記上連接ネスト上に係合して接続し、外端が前記サポート棒内端と固定し、しかも横方向に沿って突出状に設置された凸台を有し、
前記第一サポートポールは、外端が前記凸台上に係合して接続することを特徴とする請求項１に記載の折畳式テントのフレーム。
【請求項３】
前記折畳式テントのフレームはさらに、中ヒンジコネクタを備え、
前記中ヒンジコネクタは、前記サポート棒の中部に嵌めて接続し、しかも横方向に沿って突出状に設置された凸台を有し、
前記第二サポートポールは、外端が前記凸台上に係合して接続することを特徴とする請求項１に記載の折畳式テントのフレーム。
【請求項４】
前記サポート棒は４本を備え、前記第一サポートポールは２本を備え、前記第二サポートポールは４本を備えることを特徴とする請求項１に記載の折畳式テントのフレーム。
【考案の詳細な説明】
【技術分野】
【０００１】
本考案はテント構造に係り、特に折畳式テントのフレームに関する。
【背景技術】
【０００２】
従来のテントは、設営時に、一般に、２人、或いは数人が同時に取り組まなければ完成することはできなかった。そのため、その設営操作は、極めて不便であった。
【０００３】
そのため、業者は、図１に示す特許文献１の「分力折畳式テントフレーム」を開発した。それは、４本の上フレーム１'、２本の中フレーム２'、２本の下フレーム３'、連接ポール４'、中接続マフ５'、下接続マフ６'、転換フック７'、若干のスリーブ8'を備える。４本の上フレーム１'は、連接ポール４'位置に対称に連接し、２本の中フレーム２'は、中接続マフ５'位置に対称に連接し、２本の下フレーム３'は下接続マフ６'位置に対称に連接し、中接続マフ５'と下接続マフ６'は共に、連接ポール４'と相互に対応する。転換フック７'は、上フレーム１'上に設置し、上フレーム１'の関節位置には、スリーブ８'を設置する。
【０００４】
この種の従来のテントの２本の中フレーム２'は、上フレーム１'の中部に係合して接続するため、展開後には、転換フック７'を通して、テントフレームを固定する必要がある。このため、設営時の手順が多く、面倒である。
本考案は、従来の折畳式テントフレームの上記した欠点に鑑みてなされたものである。
【先行技術文献】
【特許文献】
【０００５】
【特許文献１】中国特許出願第０３２３８６０７．９号明細書
【考案の概要】
【考案が解決しようとする課題】
【０００６】
そこで、本考案が解決しようとする課題は、操作が簡単で、全体的な剛性が優れた折畳式テントのフレームを提供することである。
【課題を解決するための手段】
【０００７】
上記課題を解決するため、本考案は下記の折畳式テントのフレームを提供する。
折畳式テントのフレームは、上連接ネスト、ガイドポール、多数のサポート棒、多数の第一サポートポール、中連接ネスト、多数の第二サポートポール、下連接ネストにより構成する。
該多数のサポート棒の内端はすべて、該上連接ネスト上に係合して接続する。
該ガイドポールの上端は、該上連接ネストの下端面に固定し、該ガイドポールの下部下方へと延伸する。
該多数の第一サポートポールの内端はすべて、中連接ネスト上に係合して接続し、その外端はすべて、多数のサポート棒の内端部に係合して接続し、該中連接ネストの中部ガイド孔は、該ガイドポール上に可動状に嵌めて接続し、しかも該ガイドポール2に沿って上、下に移動する。
該多数の第二サポートポールの内端はすべて、該下連接ネスト上に係合して接続し、その外端はすべて、該多数のサポート棒の中部に係合して接続し、該下連接ネストの中部ガイド孔は、該ガイドポール上に可動状に嵌めて接続し、しかも該ガイドポールに沿って上、下に移動する。
【０００８】
該折畳式テントのフレームはさらに、内ヒンジコネクタを備え、該内ヒンジコネクタはＬ型を呈し、その内端は、該上連接ネスト上に係合して接続し、外端は、該サポート棒内端と固定し、横方向に沿って凸台を突出状に設置し、該第一サポートポールの外端は、該凸台上に係合して接続する。
【０００９】
該折畳式テントのフレームはさらに、中ヒンジコネクタを備え、該中ヒンジコネクタは、該サポート棒の中部に嵌めて接続し、横方向に沿って凸台を突出状に設置し、該第二サポートポールの外端は、該凸台上に係合して接続する。
【００１０】
該サポート棒は４本を備え、該第一サポートポールは２本を備え、該第二サポートポールは４本を備える。
【考案の効果】
【００１１】
本考案の折畳式テントのフレームは、多数の第一サポートポールの内端はすべて、中連接ネスト上に係合して接続し、その外端はすべて、多数のサポート棒の内端部に係合して接続するため、第一サポートポールの、中連接ネストとサポート棒との間での外向きのサポート作用により、展開後のテントは決して自然に閉じることはない。こうして、従来のテントフレームの転換フックを省くことができ、構造と操作をより簡単にでき、しかも、本考案は４本の第二サポートポールを備え、全体的な剛性がより優れ、またテントフレームの長所をさらに向上させることができ、一人でもテントの展開と折り畳みを行うことができ、使用における利便性が極めて高い。
【図面の簡単な説明】
【００１２】
【図１】従来の折畳式テントフレームの構造模式図である。
【図２】本考案の立体分解図である。
【図３】本考案の断面図である。
【図４】本考案に係る中連接ネストの断面図である。
【図５】本考案に係る下連接ネストの断面図である。
【図６】本考案の展開状態の模式図である。
【図７】本考案の半展開状態の模式図である。
【図８】本考案の折り畳み状態の模式図である。
【考案を実施するための形態】
【００１３】
以下に図面を参照しながら本考案を実施するための最良の形態について詳細に説明する。
【００１４】
図２、３に示すように、本考案の折畳式テントのフレームは、４本のサポート棒３の内端がすべて上連接ネスト１上に係合して接続する。
ガイドポール２の上端は、上連接ネスト１の下端面に固定し、ガイドポール２の下部は下方へと延伸する。
【００１５】
内ヒンジコネクタ５は、Ｌ型を呈し、その内端は、上連接ネスト１上に係合して接続し、外端は、サポート棒３内端と固定する。内ヒンジコネクタ５には、横方向に沿って凸台５１を突出状に設置し、第一サポートポール４の外端は、凸台５１上に係合して接続する。こうして、２本の第一サポートポール４の外端は共に、４本のサポート棒３中の対称の２本のサポート棒３の内端部に係合して接続し、２本の第一サポートポール４の内端は共に、中連接ネスト６上に係合して接続する。
【００１６】
中連接ネスト６の中部ガイド孔６１(図４参照)は、ガイドポール２上に可動状に嵌めて接続され、しかもガイドポール２に沿って上、下に移動することができる。中連接ネスト６が、ガイドポール２に沿って上、下に移動する時、その上に係合して接続する第一サポートポール４を通して、サポート棒３を連動し、折り畳み、或いは展開させることができる。
【００１７】
中ヒンジコネクタ８は、サポート棒３の中部に嵌めて接続し、横方向に沿って凸台８１を突出状に設置する。
【００１８】
第二サポートポール７の外端は、凸台８１上に係合して接続し、こうして４本の第二サポートポール７の外端はすべて、４本のサポート棒３の中部に係合して接続し、４本の第二サポートポール７の内端はすべて、下連接ネスト９上に係合して接続する。
【００１９】
下連接ネスト９の中部ガイド孔９１(図５参照)は、ガイドポール２上に可動状に嵌めて接続し、しかもガイドポール２に沿って上、下に移動する。
【００２０】
本考案の展開及び折り畳み操作は以下の通りに行う。
図６に示すように、中連接ネスト６、下連接ネスト９を共に、ガイドポール２上に可動状に嵌めて接続し、しかもガイドポール２に沿って上方へと移動させると、中連接ネスト６、下連接ネスト９は共に、上連接ネスト１に接近し、テントは完全に展開される。
【００２１】
図７に示すように、中連接ネスト６は、ガイドポール２上に可動状に嵌めて接続され、しかもガイドポール２に沿って下方へと移動を開始すると、下連接ネスト９はガイドポール２を離れ、中連接ネスト６、下連接ネスト９は共に、上連接ネスト１から離れ始め、テントは徐々に折り畳まれる。
【００２２】
図８に示すように、中連接ネスト６は、ガイドポール２上に可動状に嵌めて接続され、しかもガイドポール２に沿ってさらに下方へと移動すると、下連接ネスト９はガイドポール２を完全に離れ、中連接ネスト６、下連接ネスト９は共に、上連接ネスト１から離れ、テントは完全に折り畳まれる。
【００２３】
上記本考案の名称と内容は、本考案技術内容の説明に用いたのみで、本考案を限定するものではない。本考案の精神に基づく等価応用、或いはいは部品（構造）の転換、置換、数量の増減はすべて、本考案の保護範囲に含むものとする。
【産業上の利用可能性】
【００２４】
本考案は実用新案の登録要件である新規性を備え、従来の同類製品に比べ十分な進歩性を有し、実用性が高く、社会のニーズに合致しており、産業上の利用価値は非常に大きい。
【符号の説明】
【００２５】
１'：上フレーム
２'：２本の中フレーム
３'：２本の下フレーム
４'：連接ポール
５'：中接続マフ
６'：下接続マフ
７'：転換フック
８'：若干のスリーブ
１：上連接ネスト
２：ガイドポール
３：サポート棒
４：第一サポートポール
５：内ヒンジコネクタ
５１：凸台
６：中連接ネスト
６１：中部ガイド孔
７：第二サポートポール
８：中ヒンジコネクタ
８１：凸台
９：下連接ネスト
９１：中部ガイド孔
【図１】
0003178570.tif 000003
【図２】
0003178570.tif 000004
【図３】
0003178570.tif 000005
【図４】
0003178570.tif 000006
【図５】
0003178570.tif 000007
【図６】
0003178570.tif 000008
【図７】
0003178570.tif 000009
【図８】
0003178570.tif 000010